(57)【要約】【課題】リモコンのボタン操作を間違えて意図しない点灯状態に切り替わることを抑制できる照明器具を提供する。【解決手段】実施形態の一例である照明器具は、主照明、常夜灯、および主照明より暗く常夜灯より明るい夜間灯を照射可能な光源ユニットと、リモコンの複数の操作ボタンの各操作に基づく操作信号を受信する受信部と、操作信号に基づく制御信号を光源ユニットに出力する制御装置とを備える。制御信号には、操作信号に対応する通常の第１制御信号と、夜間灯を点灯させるための第２制御信号とが含まれる。制御装置は、照明モードを夜間モードに設定する設定手段を有し、夜間モードにおいて、複数の操作ボタンから選択される任意のボタンの操作信号を受信したときに、当該操作信号に対応する第１制御信号を出力せず、第２制御信号を出力する。【選択図】図２
2019207809.tif 000002
【特許請求の範囲】
【請求項１】
複数の操作ボタンを有するリモコンによって操作される照明器具であって、
主照明、常夜灯、および前記主照明より暗く前記常夜灯より明るい夜間灯を照射可能な光源ユニットと、
前記複数の操作ボタンの各操作に基づく操作信号を受信する受信部と、
前記操作信号に基づく制御信号を前記光源ユニットに出力する制御装置と、
を備え、
前記制御信号には、前記操作信号に対応する通常の第１制御信号と、前記夜間灯を点灯させるための第２制御信号とが含まれ、
前記制御装置は、照明モードを夜間モードに設定する設定手段を有し、前記夜間モードにおいて、前記複数の操作ボタンから選択される任意のボタンの前記操作信号を受信したときに、当該操作信号に対応する前記第１制御信号を出力せず、前記第２制御信号を出力する、照明器具。
【請求項２】
前記設定手段は、前記リモコンから前記夜間モードの設定信号を受信したときに、前記照明モードを前記夜間モードに設定する、請求項１に記載の照明器具。
【請求項３】
前記制御装置は、前記照明モードが前記夜間モードに設定されたことを報知するための処理を実行する、請求項１または２に記載の照明器具。
【請求項４】
前記制御装置は、前記第２制御信号の出力から所定時間経過後に前記夜間モードを解除する、請求項１〜３のいずれか１項に記載の照明器具。
【請求項５】
前記複数の操作ボタンには、消灯ボタンおよび常夜灯ボタンが含まれ、
前記設定手段は、前記夜間モードが解除された後、前記消灯ボタンまたは前記常夜灯ボタンの前記操作信号を受信したときに、前記照明モードを前記夜間モードに再設定する、請求項４に記載の照明器具。
【請求項６】
前記任意のボタンは、前記複数の操作ボタンから選択される所定のボタンを除く特定のボタンであり、
前記制御装置は、前記夜間モードにおいて、前記特定のボタンの前記操作信号を受信したときに前記第２制御信号を出力する、請求項１〜５のいずれか１項に記載の照明器具。
【請求項７】
前記所定のボタンは、前記主照明を点灯させる全灯ボタンである、請求項６に記載の照明器具。
【請求項８】
請求項１〜７のいずれか１項に記載の照明器具と、
複数の操作ボタンを有し、前記照明器具を操作するリモコンと、
を備えた、照明システム。
【請求項９】
前記夜間モードにおいて、前記複数の操作ボタンから選択される任意のボタンの前記操作信号、前記照明器具の前記第２制御信号、または当該各信号に基づいて生成される信号を受信して作動する他の器具をさらに備える、請求項８に記載の照明システム。
【発明の詳細な説明】
【技術分野】
【０００１】
本開示は、照明器具および照明システムに関する。
【背景技術】
【０００２】
寝室等に設置される照明器具は、一般的に常夜灯を備える。また、主照明より暗く常夜灯より明るい夜間灯を備えた照明器具も知られている。夜間灯は、眩しさを抑えつつ、常夜灯よりも部屋全体を明るく照らすことができる。このため、夜中にトイレに行くときなどに夜間灯を点灯させることで、足元が見やすくなり歩行の安全性が確保される。また、夜間灯は利用者を覚醒させず、その後の睡眠に悪影響を与え難い。特許文献１には、消灯状態において、人検知センサから検知信号が出力されたときに保安灯を点灯させる照明器具が開示されている。
【先行技術文献】
【特許文献】
【０００３】
【特許文献１】特開２００４−１６５１０９号公報
【発明の概要】
【発明が解決しようとする課題】
【０００４】
ところで、リモコンによって操作される一般的な照明器具の場合、例えば夜中にトイレに行くときに、利用者はリモコンの操作ボタンを押下して夜間灯を点灯させるが、ボタン操作を間違えて、全灯状態など意図しない点灯状態になることが想定される。一方、特許文献１に開示された技術のように、センサによって夜間灯を点灯させる場合は、寝返り時に夜間灯が点灯するといった不具合が想定される。また、センサが必要であるため、照明器具の製造コストが上昇する等の課題もある。
【課題を解決するための手段】
【０００５】
本開示の一態様である照明器具は、複数の操作ボタンを有するリモコンによって操作される照明器具であって、主照明、常夜灯、および前記主照明より暗く前記常夜灯より明るい夜間灯を照射可能な光源ユニットと、前記複数の操作ボタンの各操作に基づく操作信号を受信する受信部と、前記操作信号に基づく制御信号を前記光源ユニットに出力する制御装置とを備える。前記制御信号には、前記操作信号に対応する通常の第１制御信号と、前記夜間灯を点灯させるための第２制御信号とが含まれる。前記制御装置は、照明モードを夜間モードに設定する設定手段を有し、前記夜間モードにおいて、前記複数の操作ボタンから選択される任意のボタンの前記操作信号を受信したときに、当該操作信号に対応する前記第１制御信号を出力せず、前記第２制御信号を出力する。
【０００６】
本開示の一態様である照明システムは、上記照明器具と、複数の操作ボタンを有し、前記照明器具を操作するリモコンとを備える。
【発明の効果】
【０００７】
本開示の一態様である照明器具によれば、リモコンのボタン操作を間違えて意図しない点灯状態に切り替わることを抑制でき、例えばセンサを使用しなくても、夜間灯を容易に点灯させることができる。
【図面の簡単な説明】
【０００８】
【図１】実施形態の一例である照明システムを示す図である。
【図２】実施形態の一例である照明器具の構成を示すブロック図である。
【図３】実施形態の一例である照明器具用リモコンの正面図である。
【図４】実施形態の一例である照明器具用リモコンの回路構成図である。
【図５】照明器具用リモコンの他の一例を示す図である。
【図６】実施形態の一例である照明システムの制御手順を示す図である。
【図７】実施形態の他の一例である照明システムを示す図である。
【発明を実施するための形態】
【０００９】
以下、図面を参照しながら、本開示に係る照明器具および照明システムの実施形態について詳細に説明する。但し、本開示は以下で説明する実施形態に限定されない。また、以下で説明する複数の実施形態の各構成要素を選択的に組み合わせることは当初から想定されている。
【００１０】
本開示の装置およびシステムの主体は、コンピュータを備えている。このコンピュータがプログラムを実行することによって、本開示の装置およびシステムの主体の機能が実現される。コンピュータは、プログラムに従って動作するプロセッサを主なハードウェア構成として備える。プロセッサは、プログラムを実行することによって上記機能を実現することができれば、その種類は問わない。プロセッサは、集積回路（ＩＣ）または大規模集積回路（ＬＳＩ）を含む１つまたは複数の電子回路で構成される。複数の電子回路は、１つのチップに集積されていてもよく、複数のチップに設けられていてもよい。複数のチップは、１つの装置に集約されていてもよく、複数の装置に備えられていてもよい。また、プログラムは、コンピュータが読み取り可能なＲＯＭ、光ディスク、ハードディスクドライブ等の非一時的記憶媒体に記憶される。プログラムは、記憶媒体に予め格納されていてもよく、インターネット等を含む広域通信網を介して記憶媒体に供給されてもよい。
【００１１】
図１は、実施形態の一例である照明システム１０および当該システムの使用イメージを示す図である。図２は照明器具用リモコン２０（以下、「リモコン２０」とする）の構成を示すブロック図である。図３はリモコン２０の正面図、図４はリモコン２０の回路構成図である。図１に示す例では、照明システム１０を構成する照明器具５０が寝室１の天井に設置されているが、照明器具５０は寝室１の壁などに設置されてもよく、寝室１以外に設置されてもよい。
【００１２】
図１および図２に例示するように、照明システム１０は、複数の操作ボタン２１を有するリモコン２０と、リモコン２０によって操作される照明器具５０とを備える。照明器具５０は、主照明、常夜灯、および夜間灯を照射可能な光源ユニット５１と、複数の操作ボタン２１の各操作に基づく操作信号を受信する受信部５２と、操作信号に基づく制御信号を光源ユニット５１に出力する制御装置５３とを備える。夜間灯は、主照明より暗く常夜灯より明るい。夜間灯は、眩しさを抑えつつ、部屋全体を常夜灯よりも明るく照らすことができる照明光であって、例えば夜中にトイレに行くときなどに使用され、足元を見やすくして歩行の安全性を確保する。
【００１３】
主照明は、一般的に就寝時以外に使用される照明光である。主照明の直下照度は、例えば５Ｌｘ以上３５０Ｌｘ以下であって、段調光ボタン２７（図３参照）等の操作により当該範囲内で変更可能である。常夜灯は、就寝時に使用される照明光であって、主照明のような明るさを感じ難く、睡眠の妨げにならない程度のスポット的な光である。常夜灯の直下照度の一例は、０．５Ｌｘ未満である。夜間灯は、上述の通り、主照明より暗く常夜灯より明るい照明光であって、就寝中にトイレに行く場合などに使用される。夜間灯の直下照度の一例は、０．５Ｌｘ以上５Ｌｘ未満である。さらに、夜間灯として好ましいのは、例えば例えば２７００Ｋ付近の低色温度のあかりである。夜間灯は、利用者を覚醒させず、その後の睡眠に悪影響を与え難い。また、夜間灯は、一般的に常夜灯よりも配光角が大きい。
【００１４】
図１に示す例では、寝室１にリモコン２０および照明器具５０が１つずつ設けられているが、これらは複数存在してもよい。照明器具５０は寝室１に複数設置されてもよく、複数の照明器具５０が１つのリモコン２０で操作可能に構成されていてもよい。或いは、１つの照明器具５０を操作するリモコン２０が複数存在してもよい。
【００１５】
リモコン２０は、複数の操作ボタン２１と、複数の操作ボタン２１の各操作に基づく操作信号を出力するリモコン側制御装置２２（以下、「制御装置２２」とする）とを備える。詳しくは後述するが、照明器具５０の制御装置５３から出力される制御信号には、リモコン２０の操作信号に対応する通常の第１制御信号と、夜間灯を点灯させるための第２制御信号とが含まれる。制御装置５３は、照明モードを夜間モードに設定する設定手段５４を有し、夜間モードにおいて、複数の操作ボタン２１から選択される任意のボタンの操作信号を受信したときに、当該操作信号に対応する第１制御信号を出力せず、第２制御信号を出力する。
【００１６】
照明器具５０は、夜間モードを有することにより、例えば夜中にトイレに行くときに、リモコン２０のボタン操作を間違えて意図しない点灯状態に切り替わることを抑制できる。照明器具５０は、照明モードとして、通常モードおよび夜間モードを有する。通常モードは、各操作ボタン２１に対応する第１制御信号が出力される照明モードである。つまり、通常モードでは、利用者が１つの操作ボタン２１を押下したときに、照明器具５０は当該ボタンに対応する点灯状態となる。例えば、段調光ボタン２７の操作により照明器具５０は段階的に調光される。なお、照明器具５０は、通常モードおよび夜間モード以外の照明モードを有していてもよい。
【００１７】
リモコン２０は、制御装置２２で生成された操作信号を照明器具５０に送信するための送信部２３を備える。操作信号は制御装置２２から送信部２３に出力され、送信部２３を介して照明器具５０に送信される。照明システム１０では、受信部５２によってリモコン２０の操作信号が受信され、制御装置５３によって操作信号が処理されて操作信号に基づく制御信号が光源ユニット５１に出力される。これにより、光源ユニット５１はリモコン２０の操作に従った点灯状態となる。
【００１８】
照明器具５０は、例えばシーリングライトである。光源ユニット５１は、明るさの異なる主照明、常夜灯、および夜間灯を照射可能な光源を有する。好適な光源の一例は、半導体発光素子であって、中でもＬＥＤ（Light Emitting Diode）が好ましい。光源ユニット５１は、主照明用光源、常夜灯用光源、および夜間灯用光源を有していてもよく、色温度等が異なる複数の光源を有していてもよい。また、ＬＥＤ、蛍光灯、白熱灯など、複数種の光源を有していてもよい。光源がＬＥＤである場合、例えば光源ユニット５１には定電流回路が搭載される。定電流回路は、制御装置５３の制御信号に基づいて作動し、光源に供給される電流を制御する。
【００１９】
図３に例示するように、リモコン２０は、正面視長方形状の扁平なケース３８を有する。リモコン２０の前面（正面）には、全灯ボタン２５、消灯ボタン２６などの複数の操作ボタン２１が設けられ、ケース３８の前面には各操作ボタン２１が嵌め込まれる複数の開口部が形成されている。ケース３８内には、例えば各操作ボタン２１に対応するスイッチ、制御装置２２、および送信部２３を構成する光源などが実装された回路基板が内蔵されている。また、ケース３８内にはバッテリーが収容されている。
【００２０】
リモコン２０は、現在時刻、タイマー等の設定時刻、明るさレベル、照明シーンなどを表示する表示部２４を有する。表示部２４は、例えば液晶モニタである。表示部２４は、リモコン２０の長手方向一端側に設けられている。以下、説明の便宜上、リモコン２０の長手方向一端側を「上」、長手方向他端側を「下」とする。なお、リモコン２０の形状、サイズ、操作ボタン２１および表示部２４の形状、サイズ、数、配置などは特に限定されない。
【００２１】
リモコン２０は、操作ボタン２１として、主照明を点灯させる全灯ボタン２５、点灯中の光源を消灯させる消灯ボタン２６、および常夜灯を点灯させる常夜灯ボタン２９を有する。また、操作ボタン２１には、段調光ボタン２７、任意調光ボタン２８、チャンネル設定ボタン３０、オフタイマーボタン３１、オンタイマーボタン３２、設定ボタン３３、および時刻ボタン３４が含まれる。さらに、操作ボタン２１には、照明モードを夜間モードに切り替えるための夜間モード設定ボタン３５が含まれる。なお、操作ボタン２１には、上記以外の他のボタンが含まれていてもよい。
【００２２】
オフタイマーボタン３１は、３０分後、６０分後など、設定時刻に照明器具５０を消灯させるオフタイマーをセットするためのボタンである。オフタイマーは、照明器具５０を常夜灯に切り替えるように構成されていてもよい。オンタイマーボタン３２は、設定時刻に照明器具５０を点灯させるオンタイマーをセットするためのボタンである。設定ボタン３３および時刻ボタン３４は、現在時刻、タイマーの時刻などを設定、変更するためのボタンである。
【００２３】
図３に示す例では、リモコン２０の上部に、送信部２３を構成する第１発光部３６ａ，３６ｂおよび第２発光部３７ａ，３７ｂが設けられ、当該発光部の近傍に表示部２４が配置されている。各発光部は、例えば赤外線ＬＥＤを用いて構成される。リモコン２０では、表示部２４よりも下部側に複数の操作ボタン２１が配置されている。全灯ボタン２５は、隣接する他の操作ボタン２１との間隔が各ボタンの中で最も広くなるように他のボタンから離れて配置されていてもよい。
【００２４】
リモコン２０の幅方向中央部には、上から順に、それぞれ円形状の全灯ボタン２５、段調光ボタン２７、および消灯ボタン２６が上下方向に並んで配置されている。リモコン２０の幅方向一端部には、上から順に、それぞれ全灯ボタン２５よりも小さな円形状の夜間モード設定ボタン３５、オフタイマーボタン３１、および常夜灯ボタン２９が配置されている。また、リモコン２０の幅方向他端部には、上から順に、任意調光ボタン２８およびチャンネル設定ボタン３０が配置されている。
【００２５】
図４に例示するように、リモコン２０には、各操作ボタン２１を押下することでＯＮになる、制御装置２２にそれぞれ接続された複数のスイッチが設けられている。例えば、全灯ボタン２５が押下されると、全灯スイッチＳＷ１が閉成する。制御装置２２は、全灯スイッチＳＷ１のトリガー信号を処理して全灯の操作信号を生成する。ケース３８内には、全灯スイッチＳＷ１の他にも、各操作ボタン２１に対応して、消灯スイッチＳＷ２、段調光スイッチＳＷ３、任意調光スイッチＳＷ４、常夜灯スイッチＳＷ５、チャンネル設定スイッチＳＷ６、オフタイマースイッチＳＷ７、オンタイマースイッチＳＷ８、設定スイッチＳＷ９、時刻スイッチＳＷ１０、夜間モード設定スイッチＳＷ１１が設けられている。
【００２６】
制御装置２２は、上記各スイッチ、電源ＶＤＤ、送信部２３、および表示部２４に接続されている。送信部２３は、第１スイッチング素子Ｔｒ１および第２スイッチング素子Ｔｒ２を有し、制御装置２２は各スイッチング素子のベースに接続されている。送信部２３を構成する第１発光部３６ａ，３６ｂは、各アノードが抵抗Ｒ１，Ｒ３を介してコレクタ電源ＶＣＣに接続され、各カソードが第１スイッチング素子Ｔｒ１のコレクタに接続されている。すなわち、第１発光部３６ａ，３６ｂは第１スイッチング素子Ｔｒ１に並列に接続されている。同様に、第２発光部３７ａ，３７ｂは第２スイッチング素子Ｔｒ２に並列に接続されている。
【００２７】
図５は、実施形態の他の一例であるリモコン６０の正面図である。図５に示すリモコン６０は、図３に示すリモコン２０と同様に、正面視長方形状の扁平なケース６８を有する。また、リモコン６０は制御装置２２を備える。一方、リモコン６０は、液晶モニタ等の表示部を有さず、また夜間モードを設定するための専用の操作ボタンを有さない点で、リモコン２０と異なる。リモコン６０の上部には、一般的に赤外線ＬＥＤを含む発光部（図示せず）が設けられる。
【００２８】
リモコン６０は、操作ボタンとして、全灯ボタン６１、消灯ボタン６２、任意調光ボタン６３、照明シーン切替ボタン６４ａ，６４ｂ，６４ｃ、色温度調整ボタン６５、常夜灯ボタン６６、およびオフタイマーボタン６７を有する。複数の操作ボタンは、円形状の任意調光ボタン６３を中心として、その周りを扇形の全灯ボタン６１および照明シーン切替ボタン６４ａ，６４ｂ，６４ｃが囲むように配置されている。
【００２９】
以下、照明器具５０の制御装置５３および夜間モードについて、さらに詳説する。夜間モードは、上述の通り、複数の操作ボタン２１から選択される任意のボタンが操作されたときに、当該ボタンの操作に対応する第１制御信号を出力せず、第２制御信号を出力する照明モードである。つまり、夜間モードでは任意のボタンのいずれを操作しても夜間灯が点灯する。本実施形態では、制御装置５３の機能により夜間モードが実行される。
【００３０】
図２に例示するように、制御装置５３は、照明器具５０の照明モードを夜間モードに設定する設定手段５４と、リモコン２０の操作信号に基づく制御信号を光源ユニット５１に出力する信号生成手段５５と、夜間モードを解除する解除手段５６とを有する。信号生成手段５５は、リモコン２０の操作信号を処理して制御信号を生成し、光源ユニット５１に出力する。また、制御装置５３は、照明モードが夜間モードに設定されたことを報知するための処理を実行する報知手段５７を有していてもよい。
【００３１】
制御装置５３は、例えばマイクロコンピュータで構成され、演算処理部であるプロセッサ（ＣＰＵ）、ＲＡＭ、ＲＯＭ等で構成される記憶部５８、および入出力ポートなどを有する。ＣＰＵは、記憶部５８に予め記憶された制御プログラムを読み出して実行する機能を有する。一般的に、制御装置５３の各手段の機能は制御プログラムを実行することで実現される。記憶部５８は、ＣＰＵの処理に使用される情報等を一時的に記憶する機能と、制御プログラム、各種設定情報等を記憶する機能とを有する。
【００３２】
設定手段５４は、リモコン２０から夜間モードの設定信号を受信したときに、照明モードを夜間モードに設定する。例えば、夜間モード設定ボタン３５の操作による設定信号が受信されたときに、照明モードを夜間モードに設定する。利用者は、照明モードが通常モードであるときに、夜間モード設定ボタン３５を押下することで、照明モードを夜間モードに変更できる。
【００３３】
設定手段５４は、夜間モード設定ボタン３５が操作された後、消灯ボタン２６または常夜灯ボタン２９が操作されたときに、照明モードを夜間モードに設定してもよい。すなわち、設定手段５４は、夜間モード設定ボタン３５の操作に基づく操作信号が取得された後、消灯ボタン２６または常夜灯ボタン２９の操作に基づく操作信号が取得されることを条件として夜間モードの設定を実行する。
【００３４】
また、設定手段５４は、常夜灯の点灯状態において夜間モード設定ボタン３５が操作されることを条件として、夜間モードの設定を実行してもよい。或いは、夜間モード設定ボタン３５の操作により、夜間モードの設定を実行すると共に、消灯の制御信号または常夜灯点灯の制御信号を出力してもよい。この場合、夜間モード設定ボタン３５の操作により、照明器具５０が消灯するか、または常夜灯が点灯する。夜間モード設定ボタン３５は、夜間モードを解除するためのボタンとして兼用されてもよい。解除手段５６は、夜間モードにおいて夜間モード設定ボタン３５が押下されたときに、照明モードを通常モードに切り替えてもよい。
【００３５】
一方、リモコン６０のように、専用の夜間モード設定ボタンが設けられていない場合、設定手段５４は、複数の操作ボタン２１の少なくとも１つを用いた夜間モード設定用の特定の操作が行われることを条件として、照明モードを夜間モードに設定してもよい。夜間モード設定用の特定の操作は特に限定されず、消灯ボタン２６を３秒間に３回など、特定のボタンを所定時間内に所定回数押下する、または消灯ボタン２６と常夜灯ボタン２９など、特定の２つのボタンを同時に押下するといった操作が例示される。設定手段５４は、夜間モード設定用の特定の操作がなされた後、消灯ボタン２６または常夜灯ボタン２９が操作されたときに、照明モードを夜間モードに設定してもよい。
【００３６】
設定手段５４は、リモコン２０または照明器具５０に内蔵された時計が予め定められた特定の時間になったときに、照明モードを夜間モードに設定してもよい。この場合、専用の設定ボタンまたは専用の操作が不要であって、時計と連動して夜間モードが自動で設定される。特定の時間は、例えば午前１時など、夜間灯が使用される可能性が高い時間帯（例：午前１時〜４時）に合わせて予め設定される。なお、設定ボタン３３、時刻ボタン３４等の操作により、利用者が当該特定の時間を設定できるように構成されていてもよい。
【００３７】
設定手段５４は、オフタイマーが作動するときに、照明モードを夜間モードに設定してもよい。すなわち、オフタイマーの作動による消灯または常夜灯の点灯に伴って夜間モードが設定される。オフタイマーがリモコン２０に設けられる場合、オフタイマーの作動により、消灯の操作信号が生成され、照明器具５０に送信される。設定手段５４は、オフタイマーの作動による消灯の操作信号を取得したときに照明モードを夜間モードに切り替える。オフタイマーが照明器具５０に設けられる場合、オフタイマーの作動により、制御装置５３は消灯の制御信号を生成して光源ユニット５１に出力すると共に、照明モードを夜間モードに切り替える。
【００３８】
信号生成手段５５は、リモコン２０の操作信号を処理して制御信号を生成する。通常モードでは、操作信号に対応する通常の第１制御信号が生成され、照明器具５０は押下された操作ボタン２１に対応する点灯状態となる。信号生成手段５５は、受信部５２を介して、例えばリモコン２０の段調光ボタン２７に対応する操作信号を取得した場合、照明器具５０を段調光させる第１制御信号（段調光制御信号）を生成し、光源ユニット５１に出力する。
【００３９】
なお、リモコン２０の操作信号は、例えば送信部２３で赤外線信号に変換されて照明器具５０に送信される。操作信号を含む赤外線信号は、赤外線ＬＥＤを有する第１発光部３６ａ，３６ｂおよび第２発光部３７ａ，３７ｂから出力され、受信部５２によって受信される。受信部５２は、一般的にフォトトランジスタ等の受光素子を有する。
【００４０】
信号生成手段５５は、夜間モードにおいて、複数の操作ボタン２１から選択される任意のボタン（以下、「夜間灯ボタン」という場合がある）の操作信号を受信したときに、当該操作信号に対応する第１制御信号を生成せず、第２制御信号を生成する。つまり、夜間モードでは、当該任意のボタンの操作に対応する第１制御信号の生成が禁止され、その代わりに夜間灯を点灯させる第２制御信号が生成される。第２制御信号は、第１制御信号と同様に、光源ユニット５１に出力される。
【００４１】
信号生成手段５５は、照明器具５０の消灯時または常夜灯の点灯時など、照明器具５０の明かりが夜間灯よりも暗い状態であることを条件として、第２制御信号を生成するように構成されていてもよい。この場合、照明器具５０が夜間灯より明るい点灯状態であるときには、夜間灯ボタンの操作による操作信号を受信しても、第２制御信号が生成されず夜間灯は点灯しない。
【００４２】
夜間灯ボタンの数は特に限定されないが、好ましくは２つ以上であり、より好ましくは操作ボタン２１の全数の５０％以上の数である。リモコン２０には１１個の操作ボタン２１が存在するので、６個以上の操作ボタン２１を夜間灯ボタンとしてもよい。全ての操作ボタン２１を夜間灯ボタンに設定することも可能であるが、夜間灯ボタンは、複数の操作ボタン２１から選択される所定のボタンを除く特定のボタンとすることが好ましい。特定のボタン（夜間灯ボタン）の数は、所定のボタンの数よりも多いことが好ましい。
【００４３】
制御装置５３は、夜間モードにおいて、上記特定のボタンの操作信号を受信したときに第２制御信号を出力する。一方、上記所定のボタンについては、夜間モードにおいても通常モードと同じ操作が可能となる。すなわち、所定のボタンが操作されたときには、当該操作に基づく操作信号に対応した第１制御信号が生成され、第２制御信号は生成されない。言い換えると、所定のボタンの操作に関しては夜間モードの適用が除外される。所定のボタンの一例は、主照明を点灯させる全灯ボタン２５である。全灯ボタン２５を夜間灯ボタンから除外することで、例えば地震が発生した際や、避難指示が発令された際などの緊急時に、迅速に主照明を点灯させることができる。
【００４４】
制御装置５３は、第２制御信号が出力されたことを条件として夜間モードを解除してもよいが、好ましくは第２制御信号の出力から所定時間経過後に夜間モードを解除する。所定時間の一例は、第２制御信号の出力から５秒〜１０秒である。第２制御信号の出力後、直ぐに夜間モードを解除すると、ボタン操作が誤って複数回なされた場合に、２回目以降のボタン操作によって意図しない点灯状態になることが想定される。第２制御信号の出力から所定時間が経過するまで夜間モードの解除を禁止することで、かかる不具合を防止できる。なお、夜間モードの解除は解除手段５６の機能により実行される。
【００４５】
解除手段５６は、夜間モード解除用の特定の操作が行われたときに、夜間モードを解除して照明モードを通常モードに切り替えてもよい。或いは、リモコン２０に夜間モードを解除するための専用のボタンを設けて当該ボタンが押下されたときに、夜間モードを解除してもよい。また、解除手段５６は、リモコン２０または照明器具５０に内蔵された時計が予め定められた特定の時間（例：午前４時）になったときに、夜間モードを解除してもよい。設定ボタン３３、時刻ボタン３４等の操作により、利用者が当該特定の時間を設定できるように構成されていてもよい。
【００４６】
制御装置５３は、夜間モードが解除された後、消灯ボタン２６または常夜灯ボタン２９が操作されたときに、照明モードを夜間モードに再設定してもよい。消灯ボタン２６または常夜灯ボタン２９の操作によって夜間モードの再設定を可能にすることで、例えばトイレから戻って再度就寝する際に、夜間モードの設定忘れを防止できる。夜間モードの再設定は、設定手段５４の機能により実行される。この場合、制御装置５３が消灯ボタン２６の操作信号を受信して夜間灯を消灯させた後、または常夜灯ボタン２６の操作信号を受信して夜間灯を常夜灯に切り替えた後、夜間モードの再設定を実行する。消灯ボタン２６および常夜灯ボタン２９を使用した夜間モードの再設定は、午前１時〜４時など、特定の時間帯に限定されてもよい。当該再設定処理を有効とする時間帯は、設定ボタン３３、時刻ボタン３４等の操作により、利用者が任意に設定可能であってもよい。
【００４７】
制御装置５３は、照明器具５０の照明モードが夜間モードに設定されたことを報知するための処理を実行してもよい。この処理は、報知手段５７によって実行される。報知手段５７は、照明モードが夜間モードに切り替わったときに、夜間モードの設定情報を取得して、すなわち夜間モード設定の操作信号を受信して所定の報知処理を実行する。なお、オフタイマーと連動して夜間モードが設定される場合は、オフタイマーの設定時に報知処理を実行してもよい。
【００４８】
報知処理の具体例としては、照明器具５０を所定の点灯状態にすること、所定の設定音を出力することなどが挙げられる。所定の点灯状態は、常夜灯の点滅など、夜間モードに切り替わったことを利用者が認識できるものであればよい。報知処理は、リモコン２０の制御装置２２の機能により実行されてもよく、例えば夜間モードの設定情報が表示部２４に表示されてもよい。
【００４９】
図６は、上記構成を備えた照明システム１０の制御手順の一例を示すフローチャートであって、照明器具５０の照明モードが夜間モードに設定された場合の制御手順を示す。
【００５０】
図６に示す例では、照明器具５０の照明モードが夜間モードに設定されたときに（Ｓ１０）、照明モードの変更を利用者に報知するための所定の報知処理を実行する（Ｓ１１）。Ｓ１０は設定手段５４により実行され、Ｓ１１は報知手段５７により実行される。設定手段５４は、例えば夜間モード設定ボタン３５が操作されること、または夜間モード設定用の特定の操作が行われたことを条件として、或いは予め定められた特定の時間になったときに、照明モードを夜間モードに設定する。また、オフタイマーと連動して夜間モードが設定されてもよい。報知処理の一例は、照明器具５０の点滅、設定音の出力などである。
【００５１】
夜間モードで点灯する夜間灯は、夜中に目が覚めてトイレに行くときなどに使用される。利用者は、例えばリモコン２０の照明モードを夜間モードに設定するための操作を行った後、照明器具５０を常夜灯にして、または消灯して就寝する。このとき、照明器具５０の点滅、設定音の出力等により照明モードの変更を確認できる。利用者は、夜中に目が覚めてトイレに行くときに、リモコン２０の所定のボタンを除く任意の操作ボタン２１を押下して夜間灯を点灯させる。
【００５２】
照明システム１０では、複数の操作ボタン２１から選択される所定のボタンを除く任意のボタン（特定のボタン）が押下されたことを条件として、第２制御信号を生成し、光源ユニット５１に送信する（Ｓ１２，Ｓ１３）。Ｓ１２，Ｓ１３は信号生成手段５５により実行される。信号生成手段５５は、夜間モードにおいて、任意のボタンに対応する操作信号を取得したときに、第１制御信号を生成せず、夜間灯を点灯させる第２制御信号を生成し、光源ユニット５１に出力する。これにより、夜間灯が点灯する（Ｓ１４）。
【００５３】
次に、第２制御信号の出力から所定時間が経過したことを条件として、夜間モードを解除する（Ｓ１５，Ｓ１６）。Ｓ１５，Ｓ１６は解除手段５６により実行される。この場合、例えば夜間灯の点灯から５秒〜１０秒経過後に夜間モードが解除されて照明モードが通常モードに切り替わり、通常のリモコン２０の操作が可能となる。Ｓ１５を設けることで、ボタン操作が誤って複数回なされた場合に、２回目以降のボタン操作によって意図しない点灯状態になることを防止できる。
【００５４】
Ｓ１６で夜間モードが解除された後、消灯ボタン２６または常夜灯ボタン２９が押下されることを条件として、夜間モードの再設定を行う（Ｓ１７，Ｓ１８）。Ｓ１７，Ｓ１８は設定手段５４により実行される。制御装置５３は、消灯ボタン２６の操作信号を受信して夜間灯を消灯させた後、または常夜灯ボタン２９の操作信号を受信して夜間灯を常夜灯に切り替えた後、夜間モードの再設定を実行する。この場合、夜間モードの再設定が容易であり、トイレから戻って再度就寝する際に、夜間モードの設定忘れを防止できる。なお、消灯ボタン２６または常夜灯ボタン２９が押下されない場合は、夜間灯の点灯状態が継続される。
【００５５】
図７は、実施形態の他の一例である照明システム１０ｘおよび当該システムの使用イメージを示す図である。図７に示す照明システム１０ｘは、リモコン２０ｘと、リモコン２０ｘによって操作される照明器具５０ｘとを備える点で、照明システム１０と共通する。一方、照明システム１０ｘは、夜間モードにおいて、複数の操作ボタンから選択される任意のボタンの操作信号、照明器具５０ｘの第２制御信号、または当該各信号に基づいて生成される信号を受信して作動する他の機器をさらに備える点で、照明システム１０と異なる。リモコン２０ｘおよび照明器具５０ｘは、当該他の機器の制御に関する部分を除き、リモコン２０および照明器具５０と同様の構成を備える。
【００５６】
上記他の機器は、照明器具５０ｘ以外の照明器具であってもよく、照明器具以外の機器であってもよい。図７では、他の機器として、廊下２に設置された照明器具１００、トイレ３に設置された照明器具１０１、および便座ヒーター１０２を例示している。但し、他の機器は、これらに限定されず、台所に設置される照明器具などであってもよい。なお、照明システム１０ｘの夜間モードにおいて、便座ヒーター１０２がリモコン２０の操作信号を受信して作動する場合、便座ヒーター１０２には照明器具５０ｘの制御装置と同様の機能を有する装置が設けられる。
【００５７】
照明器具１００，１０１および便座ヒーター１０２は、例えば照明器具５０ｘの第２制御信号を受信する受信部を有する。照明器具１００，１０１は、夜間灯を照射可能な光源ユニットを有し、第２制御信号を受信したときに夜間灯を点灯させる。つまり、照明システム１０ｘでは、リモコン２０ｘの操作により、寝室１、廊下２、およびトイレ３に夜間灯が点灯する。照明器具１００，１０１の夜間灯は、照明器具５０ｘの夜間灯と同様の照度レベルであることが好ましい。便座ヒーター１０２は、第２制御信号を受信したときにＯＮされる。
【００５８】
照明システム１０ｘにおいて、照明器具５０ｘの第２制御信号は、例えば電波信号として照明器具１００，１０１および便座ヒーター１０２に送信される。この場合、照明器具５０ｘには第２制御信号を含む電波信号を送信可能な送信部が設けられる。電波信号の送信は、例えば特定小電力無線、ｗｉｆｉなどの通信方式により行う。なお、照明器具１００，１０１および便座ヒーター１０２は、第２制御信号等の中継器として機能してもよい。
【００５９】
以上のように、上記構成を備えた照明器具５０，５０ｘによれば、夜中に目が覚めてトイレ、台所などに行くときに、ボタン操作を間違えて意図しない点灯状態に切り替わることを抑制できる。このため、主照明が誤って点灯することで覚醒が促され、その後の睡眠に悪影響が出るといった事態を抑制できる。また、夜間灯の点灯操作が簡単であるため、さらに覚醒が抑えられる。
【００６０】
なお、上述の実施形態は本開示の目的を損なわない範囲で適宜設計変更できる。例えば、スマートフォン、タブレット端末など、照明器具用リモコン以外の機器を用いた夜間モードの設定が可能であってもよい。また、上述の実施形態では、夜間モードにおいて全ての操作ボタン２１が、夜間灯を点灯させる夜間灯ボタン、または通常モードの操作が可能な所定のボタンのいずれかに設定されるものとしたが、操作が無効になるボタンを設けてもよい。
【符号の説明】
【００６１】
１  寝室、２  廊下、３  トイレ、１０  照明システム、２０，６０  照明器具用リモコン（リモコン）、２１  操作ボタン、２２  リモコン側制御装置（制御装置）、２３  送信部、２４  表示部、２５，６１  全灯ボタン、２６，６２  消灯ボタン、２７  段調光ボタン、２８，６３  任意調光ボタン、２９，６６  常夜灯ボタン、３０  チャンネル設定ボタン、３１，６７  オフタイマーボタン、３２  オンタイマーボタン、３３  設定ボタン、３４  時刻ボタン、３５  夜間モード設定ボタン、３６ａ，３６ｂ  第１発光部、３７ａ，３７ｂ  第２発光部、３８,６８  ケース、５０  照明器具、５１  光源ユニット、５２  受信部、５３  制御装置、５４  設定手段、５５  信号生成手段、５６  解除手段、５７  報知手段、５８  記憶部、６４ａ，６４ｂ，６４ｃ  照明シーン切替ボタン、６５  色温度調整ボタン
【図１】
2019207809.tif 000003
【図２】
2019207809.tif 000004
【図３】
2019207809.tif 000005
【図４】
2019207809.tif 000006
【図５】
2019207809.tif 000007
【図６】
2019207809.tif 000008
【図７】
2019207809.tif 000009